(57)【要約】【課題】小規模園芸ハウス向けの簡易で安価な温風暖房機を提供する。【解決手段】温風暖房機１０では、木質ペレットストーブ１２の缶体１４内で木質ペレット２８が燃焼すると、缶体１４が加熱される。この缶体１４は、多数の貫通孔７８（吸気孔）及び排気孔８４を有する外郭体７６の内側に収容されている。この外郭体７６には、排気孔８４に対向する位置に排風機８６が取り付けられており、この排風機８６が作動すると、多数の貫通孔７８から外郭体７６内に流入して排気孔８４から外郭体７６外へ排出される空気流が生じる。この空気流は、外郭体７６内を流れる際に缶体１４に干渉することで加熱され、温風として外郭体７６の排気孔８４から排出される。【選択図】図１
2010142161.tif 000002
【特許請求の範囲】
【請求項１】
缶体の内部で木質ペレットを燃焼させる木質ペレットストーブと、
吸気孔及び排気孔を有し、前記缶体を内側に収容した状態で前記木質ペレットストーブに取り付けられる外郭体と、
前記外郭体に設けられ、前記吸気孔から前記外郭体内に流入して前記排気孔から前記外郭体外へ排出される空気流を発生させる空気流発生手段と、
を備えた園芸ハウス用温風暖房機。
【請求項２】
前記外郭体は、前記木質ペレットストーブに対して着脱自在とされていることを特徴とする請求項１に記載の園芸ハウス用温風暖房機。
【請求項３】
前記外郭体には、前記外郭体の内外を連通させる吸気筒が設けられ、前記缶体には、前記木質ペレットの燃焼により前記缶体内に発生する燃焼ガスを前記缶体外へ排出するための排煙筒が接続され、前記排煙筒は、前記吸気筒との間に隙間を確保した状態で前記吸気筒の内側を貫通していることを特徴とする請求項１又は請求項２に記載の園芸ハウス用温風暖房機。
【請求項４】
前記空気流発生手段は、前記排気孔に対向して前記外郭体に取り付けられた排風機とされ、前記外郭体の一部は、前記吸気孔を構成する複数の貫通孔が形成されたパンチングメタルによって構成されていることを特徴とする請求項１〜請求項３の何れか１項に記載の園芸ハウス用温風暖房機。
【発明の詳細な説明】
【技術分野】
【０００１】
本発明は、ビニルハウス、ガラス温室等の園芸ハウスを暖房する温風暖房機に関し、特に間伐材等を粉砕圧縮加工して作った木質ペレットを燃料とする温風暖房機に関する。
【背景技術】
【０００２】
従来、木質ペレットを燃料とする施設園芸用温室暖房システムが知られている（例えば、特許文献１参照）。このような暖房システムでは、間伐材等の安価な木質燃料を用いることにより、暖房コストを低く抑えることができる。
【特許文献１】特開２００８−１０４３８２号公報
【発明の開示】
【発明が解決しようとする課題】
【０００３】
しかしながら、上述の如き暖房システムは、ガス発生装置やガスエンジン発電機などを備えた大掛かりなものであるため、小規模な園芸ハウスには不向きである。
【０００４】
本発明は上記事実を考慮し、小規模園芸ハウス向けの簡易で安価な温風暖房機を提供することを目的としている。
【課題を解決するための手段】
【０００５】
請求項１に記載の発明に係る園芸ハウス用温風暖房機は、缶体の内部で木質ペレットを燃焼させる木質ペレットストーブと、吸気孔及び排気孔を有し、前記缶体を内側に収容した状態で前記木質ペレットストーブに取り付けられる外郭体と、前記外郭体に設けられ、前記吸気孔から前記外郭体内に流入して前記排気孔から前記外郭体外へ排出される空気流を発生させる空気流発生手段と、を備えたことを特徴としている。
【０００６】
請求項１に記載の園芸ハウス用温風暖房機では、木質ペレットストーブの缶体内で木質ペレットが燃焼すると、缶体が加熱される。この缶体は、吸気孔及び排気孔を備えた外郭体の内側に収容されている。この外郭体には空気流発生手段が設けられており、この空気流発生手段が作動すると、吸気孔から外郭体内に流入して排気孔から外郭体外へ排出される空気流が発生する。この空気流は、外郭体内を流れる際に缶体に干渉することで加熱され、温風として外郭体の排気孔から排出される。これにより、園芸ハウス内を暖房することができる。
【０００７】
このように、請求項１に係る発明では、木質ペレットストーブを基にして温風暖房機が構成されているため、小規模園芸ハウス向けの簡易で安価な温風暖房機を提供することができる。
【０００８】
請求項２に記載の発明に係る園芸ハウス用温風暖房機は、請求項１に記載の園芸ハウス用温風暖房機において、前記外郭体は、前記木質ペレットストーブに対して着脱自在とされていることを特徴としている。
【０００９】
請求項２に記載の園芸ハウス用温風暖房機では、外郭体が木質ペレットストーブに対して着脱自在とされているため、普通の木質ペレットストーブとしても使用することができる。したがって、園芸ハウス用の暖房機として使用しないときは、家屋用の暖房機として使用することができ好適である。
【００１０】
請求項３に記載の発明に係る園芸ハウス用温風暖房機は、請求項１又は請求項２に記載の園芸ハウス用温風暖房機において、前記外郭体には、前記外郭体の内外を連通させる吸気筒が設けられ、前記缶体には、前記木質ペレットの燃焼により前記缶体内に発生する燃焼ガスを前記缶体外へ排出するための排煙筒が接続され、前記排煙筒は、前記吸気筒との間に隙間を確保した状態で前記吸気筒の内側を貫通していることを特徴としている。
【００１１】
請求項３に記載の園芸ハウス用温風暖房機では、木質ペレットストーブの排煙筒が、外郭体に設けられた吸気筒の内側を貫通しており、排煙筒と吸気筒との間に隙間が確保されている。このため、空気流発生手段が作動した際には、当該隙間を流れる空気流が発生する。この空気流は、燃焼ガスの熱で加熱された排煙筒により加熱されるため、排気される燃焼ガスの熱を暖房のために有効利用することができる。これにより、熱交換効率を向上させることができる。
【００１２】
請求項４に記載の発明に係る園芸ハウス用温風暖房機は、請求項１〜請求項３の何れか１項に記載の園芸ハウス用温風暖房機において、前記空気流発生手段は、前記排気孔に対向して前記外郭体に取り付けられた排風機とされ、前記外郭体の一部は、前記吸気孔を構成する複数の貫通孔が形成されたパンチングメタルによって構成されていることを特徴としている。
【００１３】
請求項４に記載の園芸ハウス用温風暖房機では、排風機が作動すると、外郭体内の空気が排気孔を介して外郭体外へ排出されると共に、外郭体の一部を構成するパンチングメタルに形成された複数の貫通孔を介して外郭体内に空気が流入する。これにより、外郭体内に満遍なく空気を流入させることができ、木質ペレットストーブの缶体の表面の広い範囲に空気流を干渉させることができる。これにより、熱交換効率を向上させることができる。
【発明の効果】
【００１４】
以上説明したように、本発明では、小規模園芸ハウス向けの簡易で安価な温風暖房機を得ることができる。
【発明を実施するための最良の形態】
【００１５】
図１には、本発明の実施形態に係る園芸ハウス用温風暖房機１０（以下、単に「温風暖房機１０」という）が側面側から見た縦断面図にて示されている。また、図２には、図１の２−２線断面図が示されている。
【００１６】
本実施形態に係る温風暖房機１０は、小規模な園芸ハウスを暖房するための温風暖房機であり、当該園芸ハウス内に設置された木質ペレットストーブ１２を備えている。木質ペレットストーブ１２は、中空の直方体状に形成された缶体１４を備えており、缶体１４の内部には燃焼室１６が設けられている。燃焼室１６の一側（図１では右側）には、仕切板１８が設けられており、この仕切板１８を介して燃焼室１６と反対側には、燃焼室１６内へ空気を供給するための空気通路２０が設けられている。
【００１７】
缶体１４の側方（図１及び図２では右側）には、筐体２２が配置されている。筐体２２は、缶体１４と同じく中空の直方体状に形成されている。筐体２２の内部には、燃料タンクとされるホッパ２４が配設されている。このホッパ２４の上部には、補助タンク２６が取り付けられている。
【００１８】
補助タンク２６は、ホッパ状に形成されており、下端部に設けられた枠状の嵌合部２６Ａがホッパ２４の上端開口部に嵌合することでホッパ２４の上部に取り付けられている。補助タンク２６及びホッパ２４の内部には、木質ペレット２８が貯蔵されている。木質ペレット２８は、間伐材を粉砕圧縮加工して作った加工燃料であり、本実施形態では、直径が４ミリ〜５ミリ程度、長さが５ミリ〜６ミリ程度の円柱状に加工成形されている。この木質ペレット２８は、補助タンク２６の上端開口部から投入されたものであり、補助タンク２６の上端開口部には開閉可能な蓋３０が設けられている。
【００１９】
なお、上述の補助タンク２６は、本温風暖房機１０にオプション設定されるものであり、ホッパ２４に対して着脱自在とされている。この補助タンク２６がホッパ２４に装着されていないときには、ホッパ２４の上端開口部が図示しない蓋によって閉塞される構成になっている。
【００２０】
一方、ホッパ２４の下方には、燃料搬送装置３２が設けられている。燃料搬送装置３２は、上下２段の段違いに配置された上スクリュー３４と下スクリュー３６とを有している。これらの上スクリュー３４と下スクリュー３６とは、それぞれモータ３８及びモータ４０の駆動力によって回転するようになっている。これらのモータ３８、４０は、図示しない配線を介して制御装置４２に電気的に接続されている。
【００２１】
また、ホッパ２４の下部には、燃料降下口４４が形成されており、ホッパ２４内に投入された木質ペレット２８は、この燃料降下口４４から上スクリュー３４によってかき出され、シュート４６へ搬送されて落下する。シュート４６から落下した木質ペレット２８は、燃料搬送装置３２の下段に配された下スクリュー３６によって、燃焼室１６側へ押し出され、燃焼室１６内へ搬送される（図１の矢印Ｄ参照）。燃焼室１６内の下部には、筐体２２側において、平板状に形成されたロストル４８が設けられており、燃焼室１６内へ搬送された木質ペレット２８は、ロストル４８の上面に供給される。
【００２２】
ロストル４８の下方には、上下両側及び筐体２２側が開口した箱状のカバー５０が設けられており、カバー５０の内側には空気取入室５２が形成されている。この空気取入室５２の内部には、棒状の点火ヒータ５４が設けられている。点火ヒータ５４は、所謂「セラミックヒータ」であり、ロストル４８の板面に対して所定角度傾斜した状態でロストル４８の下面に固定されている。
【００２３】
点火ヒータ５４の先端部は、ロストル４８に形成された貫通孔に挿通されて、ロストル４８の上面から所定量突出している（例えば、本実施形態では、突出高さは５ミリに設定されている）。このため、ロストル４８の上面に木質ペレット２８が供給されると、点火ヒータ５４の先端部が木質ペレット２８によって覆われる。この点火ヒータ５４は、木質ペレットストーブ１２に配設された図示しない配線を介して制御装置４２に電気的に接続されている。
【００２４】
一方、ロストル４８には、複数の空気噴孔５５（貫通孔）が形成されており、燃料搬送装置３２の下方に設置された送風機５６から送気された空気（１次空気）が、ロストル４８の空気噴孔５５を通過して燃焼室１６へ通風されるようになっている。この送風機５６は、ペレットストーブ１２に配設された図示しない配線を介して前記制御装置４２に接続されている。
【００２５】
また、送風機５６から送気された空気は、缶体１４の空気通路２０にも流入し、仕切板１８に形成された通気孔５８から燃焼室１６内へ送風される（２次空気）。さらに、空気通路２０に流入した空気は、燃料搬送装置３２側へ分岐した空気戻通路６０へも流入し、燃料搬送装置３２のシュート４６上方から噴出されるようになっている。
【００２６】
ここで、本ペレットストーブ１２では、上述した燃料搬送装置３２のモータ３８、４０、点火ヒータ５４、及び送風機５６は、前記制御装置４２によって集中制御される構成となっており、制御装置４２に接続された図示しない電源スイッチが「ＯＮ」にされると、燃料搬送装置３２のモータ３８、４０及び送風機５６が作動すると共に、点火ヒータ５４へも通電されるようになっている。
【００２７】
なお、点火ヒータ５４への通電時間は、制御装置４２に接続された図示しないタイマーによって任意に設定可能とされており、点火ヒータ５４への通電を開始してから所定時間（例えば、本実施形態では、１分乃至２分程度）経過すると、このタイマーによって自動的に通電を遮断される。
【００２８】
点火ヒータ５４は、通電されることで発熱し、点火ヒータ５４の先端部を覆っている木質ペレット２８が加熱されて点火する。このとき、上述したように送風機５６から空気取入室５２へ送気された１次空気が、ロストル４８の空気噴孔５５を通過して燃焼室１６へ通風され、ロストル４８の上面に搬送された木質ペレット２８を燃焼させるようになっている。ロストル４８上面の木質ペレット２８が燃焼しているときには、ホッパ２４内の木質ペレット２８が、燃料搬送装置３２の上スクリュー３４及び下スクリュー３６によって順次ロストル４８上に補充され燃焼する。これにより、ロストル４８の上方には炎Ｆが立ち上るようになっている。
【００２９】
ロストル４８の上方には、上側から見てコ字形に形成された遮熱板６２が設けられている。遮熱板６２は、開口側の端部が仕切板１８に固定されており、ロストル４８の上方に立ち上る炎Ｆを取り囲むように構成されている。これにより、缶体１４の側壁の温度が過度に上昇することが抑制される。
【００３０】
一方、上述の如く木質ペレット２８が燃焼すると、燃焼室１６内に乾溜可燃性ガスが発生し、木質ペレット２８の燃焼が阻害されることがあるが、この木質ペレットストーブ１２では、仕切板１８の通気孔５８から燃焼室１６内へ噴出される前述した２次空気により、乾溜可燃性ガスの燃焼が促進されるようになっている。
【００３１】
また、送風機５６から送気され、空気通路２０及び空気戻通路６０を通って燃料搬送装置３２のシュート４６上方から噴出される空気は、燃焼室１６内に発生した燃焼ガスが、燃料搬送装置３２側へ逆流することを防止する。
【００３２】
さらに、燃焼室１６の上方において、缶体１４の上壁には、筒状に形成された接続筒６４が設けられている。この接続筒６４の筒内は、燃焼室１６の内部に連通している。また、燃焼室１６の内部には、平板材により形成されたバッフルプレート６６が設けられており、缶体１４の側壁とバッフルプレート６６との間にガス通路６８が形成されている。ガス通路６８内には、複数の貫通孔が形成された板状の多孔板７０が設けられており、燃焼室１６内に発生した排気ガスは、ガス通路６８及び接続筒６４の筒内を介してペレットストーブ１２の外部に排気され、接続筒６４に接続された排煙筒６５を介して園芸ハウス外に排出される構成となっている。
【００３３】
一方、ロストル４８の下方には、灰受皿７２が配設されており、燃焼された木質ペレット２８の燃えカス（灰）は、上スクリュー３４及び下スクリュー３６によって新たにロストル４８上に補充される木質ペレット２８によって押し出され、灰受皿７２内に落下する。なお、ロストル４８と灰受皿７２との間には、ロストル４８から落下した灰を灰受皿７２内に案内するガイド枠７４が設けられている。また、木質ペレット２８は、燃え尽きても粉末状にはならず、原形を少し残した形で灰になるので、ロストル４８の空気噴孔５５から落下する灰は僅かであるが、空気噴孔５５から空気取入室５２内に落下した木質ペレット２８の灰も、灰受皿７２内に落下するようになっている。
【００３４】
上記構成の木質ペレットストーブ１２は、本温風暖房機１０の構成部材である外郭体７６によって缶体１４が被覆されている。外郭体７６は、板金によって形成された正面板７６Ａ、背面板７６Ｂ、右面板７６Ｃ、左面板７６Ｄ、及び上面板７６Ｅを備えており、下端側が開口した中空の直方体状に形成されている。
【００３５】
正面板７６Ａは、缶体１４と筐体２２との間の隙間に挿入されており、背面板７６Ｂ、右面板７６Ｃ、及び左面板７６Ｄは、各下端部がボルト等の締結具によって木質ペレットストーブ１２の底板１３に固定されている。これにより、外郭体７６は缶体１４を内側に収容した状態で木質ペレットストーブ１２に取り付けられている。なお、外郭体７６は、上記締結具による固定を解除することで、木質ペレットストーブ１２から容易に取り外せるようになっており、木質ペレット１２に対して着脱自在とされている。
【００３６】
また、外郭体７６は、背面板７６Ｂ以外（正面板７６Ａ、右面板７６Ｃ、左面板７６Ｄ、及び上面板７６Ｅ）がパンチングメタルによって形成されており、正面板７６Ａ、右面板７６Ｃ、左面板７６Ｄ、及び上面板７６Ｅには、略全面にわたって多数の貫通孔７８が形成されている。これらの貫通孔７８は、外郭体７６の吸気孔を構成している。
【００３７】
また、外郭体７６の上面板７６Ｅには、円筒状に形成された吸気筒８０が取り付けられている。吸気筒８０は、下端部が上面板７６Ｅに結合されて上面板７６Ｅの上側へ突出しており、外郭体７６の内外を連通させている。この吸気筒８０の内側には、前述した排煙筒６５が非接触状態で貫通しており、吸気筒８０の内周面と排煙筒６５の外周面との間には、環状の隙間８２が確保されている。
【００３８】
一方、外郭体７６の背面板７６Ｂには、円形の排気孔８４が形成されている。この排気孔８４は、背面板７６Ｂの上下方向中央部よりもやや下側に形成されている。また、外郭体７６の背面板７６Ｂには、排風機８６が取り付けられている。排風機８６は、排気孔８４に対向する状態で外郭体７６の外側に配置されており、太鼓状に形成されたハウジング８８を有している。ハウジング８８は、軸線方向一端部に設けられたフランジ部がボルト等の締結具によって背面板７６Ｂに締結されている。ハウジング８８の内部は、排気孔８４を介して外郭体７６の内部に連通している。
【００３９】
ハウジング８８の軸線方向他端部には、長尺状に形成されたビニールホース９０（ポリダクト）の長手方向一端部が接続されている。このビニールホース９０は、園芸ハウス内の各所を巡るように配策されている。このビニールホース９０には、複数の噴風孔９２が形成されている。これらの噴風孔９２は、ビニールホース９０の長手方向及び周方向に略等間隔に並んで形成されている。
【００４０】
また、ハウジング８８の内部には、図示しないモータと、このモータによって回転される図示しない回転羽根とが設けられており、モータが回転羽根を回転させると、外郭体７６内の空気がビニールホース９０内へ送気されるようになっている。このモータは、図示しない配線を介して制御装置４２に電気的に接続されており、制御装置４２によって作動を制御される構成になっている。
【００４１】
次に、本実施形態の作用について説明する。
【００４２】
上記構成の温風暖房機１０では、木質ペレットストーブ１２の制御装置４２に接続された図示しない電源スイッチが「ＯＮ」にされると、制御装置４２が燃料搬送装置３２のモータ３８、４０を作動させる。これにより、補助タンク２６及びホッパ２４内に貯蔵された木質ペレット２８が上スクリュー３４及び下スクリュー３６によってかき出され、燃焼室１６内に配設されたロストル４８の上面に搬送される。これにより、ロストル４８の上面から突出した点火ヒータ５４の先端部が木質ペレット２８によって覆われる。
【００４３】
またこのとき、制御装置４２は送風機５６を作動させると共に点火ヒータ５４に通電する。点火ヒータ５４は通電により発熱し、点火ヒータ５４の先端部を覆っている木質ペレット２８が、点火ヒータ５４によって加熱されて点火する。また、送風機５６の作動によって空気取入室５２に送気された空気（一次空気）が、ロストル４８の空気噴孔５５を通過してロストル４８上面の木質ペレット２８に供給される。これにより、点火ヒータ５４によって点火されたロストル４８上面の木質ペレット２８が燃焼し、缶体１４が加熱される。
【００４４】
さらに、制御装置４２は排風機８６を作動させ、外郭体７６内の空気をビニールホース９０内へ送気する（図１及び図２の矢印Ａ参照）。これにより、外郭体７６の内部が負圧になり、園芸ハウス内の空気が多数の貫通孔７８を介して外郭体７６内へ流入する（図１及び図２の矢印Ｂ参照）。外郭体７６内へ流入した空気は、缶体１４に干渉することで加熱され、温風としてビニールホース９０内に送気される。ビニールホース９０内に送気された空気は、ビニールホース９０に形成された多数の噴風孔９２から園芸ハウス内に噴出される（図１及び図２の矢印Ｃ参照）。これにより、園芸ハウス内を暖房することができる。
【００４５】
このように、本実施形態では、木質ペレットストーブ１２を基にして温風暖房機１０が構成されているため、小規模園芸ハウス向けの簡易で安価な温風暖房機１０を提供することができる。
【００４６】
しかも、本実施形態に係る温風暖房機１０では、外郭体７６及び補助タンク２６が木質ペレットストーブ１２に対して着脱自在とされているため、普通の木質ペレットストーブ１２としても使用することができる。したがって、園芸ハウス用の暖房機として使用しないときは、家屋用の暖房機として使用することができ好適である。
【００４７】
さらに、本実施形態に係る温風暖房機１０では、木質ペレットストーブ１２の排煙筒６５が、外郭体７６に設けられた吸気筒８０の内側を貫通しており、排煙筒６５と吸気筒８０との間に隙間が確保されている。このため、排風機８６が作動した際には、当該隙間８２を流れる空気流が発生する。この空気流は、燃焼ガスの熱で加熱された排煙筒６５により加熱されるため、排気される燃焼ガスの熱を暖房のために有効利用することができる。これにより、熱交換効率を向上させることができる。
【００４８】
また、本実施形態に係る温風暖房機１０では、外郭体７６の正面板７６Ａ、右面板７６Ｃ、左面板７６Ｄ、及び上面板７６Ｅがパンチングメタルによって構成されているため、外郭体７６内に満遍なく空気を流入させることができ、木質ペレットストーブ１２の缶体１４の表面の広い範囲に空気流を干渉させることができる。これにより、熱交換効率を向上させることができる。
【００４９】
なお、上記実施形態に係る温風暖房機１０では、外郭体７６の正面板７６Ａ、右面板７６Ｃ、左面板７６Ｄ、及び上面板７６Ｅがパンチングメタルによって形成された構成にしたが、本発明はこれに限らず、外郭体の全部を普通の板金によって形成すると共に、外郭体の一部に大径な吸気孔を形成する構成にしてもよい。
【００５０】
また、上記実施形態に係る温風暖房機１０では、外郭体７６内の空気を外郭体７６外へ排出する排風機８６が空気流発生手段として適用された場合について説明したが、本発明はこれに限らず、外郭体外の空気を外郭体内へ送風する送風機が空気流発生手段として適用された構成にしてもよい。
【図面の簡単な説明】
【００５１】
【図１】本発明の実施形態に係る園芸ハウス用温風暖房機の構成を示す概略的な縦断面図である。
【図２】図１の２−２線断面図である。
【符号の説明】
【００５２】
１０        園芸ハウス用温風暖房機
１２        木質ペレットストーブ
１４        缶体
２８        木質ペレット
６５        排煙筒
７６        外郭体
７８        貫通孔（吸気孔）
８４        排気孔
８６        排風機
８０        吸気筒
８２        隙間
【図１】
2010142161.tif 000003
【図２】
2010142161.tif 000004